(57)【要約】【課題】光合分波器にヒットレスの特性を持たせるのと同時に、高速に同調波長を切り替える。【解決手段】高速で同調波長を切り替え可能であるが、ヒットレスでない二つの光合分波器を使用するにあたって、第１の光合分波器の分波端子と第２の光合分波器の入力端子を接続し、かつ第１の光合分波器の合波端子と第２の光合分波器の出力端子を接続する。第１の波長多重光分波端子からの信号光を第２の波長多重合分波器の光入力端子へ接続し、第２の波長多重合分波器の光出力端子からの光信号を第１の波長多重合分波器の光合分波端子に接続し、第１の波長多重合分波器と第２の波長多重合分波器のそれぞれの波長選択制御を行う機構を有する。【選択図】        図１
2004274311.tif 000002
【特許請求の範囲】
【請求項１】
光入力端子と光合波端子、光分波端子、光出力端子を有する選択波長可変の第１の波長多重合分波器と、光入力端子と光合波端子、光分波端子、光出力端子を有する選択波長可変の第２の波長多重合分波器とを備え、
第１の波長多重光分波端子からの信号光を前記第２の波長多重合分波器の光入力端子へ接続し、
前記第２の波長多重合分波器の光出力端子からの光信号を第１の波長多重合分波器の光合分波端子に接続し、第１の波長多重合分波器と第２の波長多重合分波器のそれぞれの波長選択制御を行う機構を有することを特徴とする無妨害波長合分波器。
【請求項２】
複数の請求項１に記載の無妨害波長合分波器から構成され、それぞれの無妨害波長合分波器間は光入力端子と光出力端子とを接続したことを特徴とする無妨害波長合分波器を使用した通信方法。
【発明の詳細な説明】
【０００１】
【発明の属する技術分野】
本発明は波長多重通信技術に関し、特に光合分波器に関する。
【０００２】
【従来の技術】
通信需要の増大に対応するために、波長多重通信が主流になりつつあるが、波長多重通信においては１本の光ファイバーの中を多数の波長の光が伝播する。信号の送受信を行うためには光合分波器が必要になり、現状では、ＡＷＧ（アレイ導波路格子）と光スイッチの組み合わせた光合分波器が使用されている。この組み合わせは大規模で多数の波長を扱うノードでは必要であるが、一つのチャンネルの波長で賄える通信容量で充分な小規模なノードではこの組み合わせで実現される性能を必要としなし、むしろ性能を落とすことによる低価格化が求められる。
【０００３】
１本の光波長を合分波する方法として、多層膜フィルタやファイバ・ブラッグ・グレーティング（ＦＢＧ）等が使用される。多層膜フィルタは所望の波長を透過させる機能を、ＦＢＧは反射する機能を有する。これらのフィルタは使用波長が固定されているので、使用波長を変更するときは選択波長の異なる別の特性のフィルタを用意する必要がある。
【０００４】
上記の波長固定のフィルタを使用したネットワークにおいて、使用波長の変更のためには装置の交換が必要になり、多大な労力と時間を要することになってしまう。したがって、通信ネットワークの柔軟性を向上させるには選択したい波長にフィルタが同調可能であることが強く望まれる。これによりリコンフィギュアブルな（ｒｅｃｏｎｆｉｇｕｒａｂｌｅ）ネットワークになる。このために（非特許文献１）に示されているように、いろいろな方式のフィルタが開発されている。代表的なものとして、ファブリ−ペロー干渉計を利用するものがあり、二つの対面する反射鏡の間の距離を変化させたり、反射鏡間の媒質の屈折率を変化させることで透過する光波長を変化させる。また、ファイバ・ブラッグ・グレーティングを使用するものもある。ファイバ・ブラッグ・グレーティングはＧｅをドープした光ファイバのコアに紫外線を照射することにより周期的な屈折率分布を与えたものである。この光ファイバに長手方向に応力加えることにより、反射波長を変えることができる。ピエゾアクチュエータやステップモータを利用して引っ張り応力を与えると、反射波長は波長が長い方に移動する。あるいは、板状の部材の上にファイバ・ブラッグ・グレーティングを接着し、部材を湾曲させることにより圧縮応力あるいは引っ張り応力を与えることが研究されている（例えば、非特許文献２）。
【０００５】
【特許文献１】
特開平１０−２４６８３２号公報（第４〜５頁、図１）
【非特許文献１】
Ｄａｎ  Ｓａｄｏｔ  ａｎｄ  Ｅｆｒａｉｍ  Ｂｏｉｍｏｖｉｃｈ，  “ＩＥＥＥＣｏｍｍｕｎｉｃａｔｉｏｎｓ  Ｍａｇａｚｉｎｅ”、Ｄｅｃｅｍｂｅｒ  １９８８，ｐｐ．５０−５５
【非特許文献２】
Ｃｈｅｅ  Ｓ．  Ｇｏｈ，  Ｓｚｅ  Ｙ．  Ｓｅｔ  ａｎｄ  Ｋａｚｕｒｏ  Ｋｉｋｕｃｈｉ，  “ＩＥＥＥ  Ｐｈｏｔｏｎｉｃｓ  Ｔｅｃｈｎｏｌｏｇｙ  Ｌｅｔｔｅｒｓ，  Ｖｏｌ．１４，  Ｎｏ．９”  ｐｐ．１３０６−１３０８  （２００２）．
【０００６】
【発明が解決しようとする課題】
ファイバ・ブラッグ・グレーティングを使用した場合の従来の光合分波器の構成を図５に示す。合分波器としての動作を以下に記述する。３０はファイバ・ブラッグ・グレーティングであり、両端が光サーキュレータ２０と２１に光ファイバで接続されている。ファイバ・ブラッグ・グレーティングは外部から３１により応力が印可されており、同調可能な波長を変えることができる。波長多重の信号光は光入力端子１０１からサーキュレータ２０の端子２０１に入り、２０２の端子へ出て行く。端子２０２は光ファイバによりファイバ・ブラッグ・グレーティング３０に接続されており、特定の波長が反射される。反射された波長の光はサーキュレータ２０の２０２の端子に戻り、端子２０３へと出て行き、光分波端子１０３から出力される。ファイバ・ブラッグ・グレーティングで反射されなかった波長の光は２１のサーキュレータの端子２１２に入射し、端子２１３に抜け、光出力端子１０２に出力される。合波信号光は光合波端子１０４から入力され、サーキュレータ２１の２１１の端子に入射する。合波信号光の波長を分波信号光の波長と同じであるとすると、この光は端子２１２から出て行くが、ファイバ・ブラッグ・グレーティング３０で反射され、端子２１２に戻り、サーキュレータ２１の光出力端子１０２に合波信号として、ファイバ・ブラッグ・グレーティング３０を透過した光と混合される。
【０００７】
ファイバ・ブラッグ・グレーティング３０を使用して、同調波長を移動させるとき、目的の波長の途中にある光波長を分波してしまう問題が生じる。これはファイバ・ブラッグ・グレーティングに応力を加えることによって同調波長を変化させるとき、同調波長が連続的に変化することによる。これは熱を加えて同調波長を変化させた場合も同様である。図６に示すように同調波長の大きさがλ０、λ１、λ２、λ２の順番にあるものとする。当初ファイバ・ブラッグ・グレーティング３０が波長λ０に同調しているものとし、同調波長をλ３に移動するようにとの指令を受けたものとする。３０による同調波長は連続して移動するため、λ１、λ２の波長の光を１０３の光ファイバから分波してしまう。このため、もし光出力端子１０２に接続された下流のノードが波長λ１を使用していると、信号が遮断されるため、下流のノードは光信号を受信できなくなる。
【０００８】
このような不具合をなくした合分波器をヒットレスな特徴を持つと言うが、複数の透過波長を有する多層膜フィルタに全反射領域を設けることが知られている（例えば、特許文献１）。使用波長を切り替えるとき、多層膜フィルタを移動することにより、一旦波長多重光の照射領域を全反射領域に移す。これにより他の波長を遮断するような不具合を防止している。この方法では、機械的に多層膜フィルタを移動させることにより、波長多重光のフィルタ照射位置を移動させる。離れた位置に配置されたフィルタに移動する場合には、長い距離を移動することになるので切り替え時間が長くなる欠点を有する。
【０００９】
本特許の目的は、波長の切り替えが比較的速いが、連続的に同調波長が変化するファイバ・ブラッグ・グレーティングやファブリ−ペロータイプ等のフィルタを使用して、波長移動中に他の波長を遮断しない波長合分波器を提供することにあり、さらにこの波長合分波器を使用したネットワークサービスの提供も包含する。
【００１０】
【課題を解決するための手段】
本発明の無妨害波長合分波器は、光入力端子と光合波端子、光分波端子、光出力端子を有する選択波長可変の第１の波長多重合分波器と、光入力端子と光合波端子、光分波端子、光出力端子を有する選択波長可変の第２の波長多重合分波器とを備え、
第１の波長多重光分波端子からの信号光を第２の波長多重合分波器の光入力端子へ接続し、第２の波長多重合分波器の光出力端子からの光信号を第１の波長多重合分波器の光合分波端子に接続し、第１の波長多重合分波器と第２の波長多重合分波器のそれぞれの波長選択制御を行う機構を有することを特徴とする。
【００１１】
本発明の無妨害波長合分波器を使用した通信方法は、複数の請求項１に記載の無妨害波長合分波器から構成され、それぞれの無妨害波長合分波器間は光入力端子と光出力端子とを接続したことを特徴とする。この通信方法は、波長多重通信、それに係る通信サービス、通信装置若しくは通信システム等で用いることができる。本発明に係る無妨害波長合分波器を用いると、速い速度で、例えば、１０ｍｓ未満の側で波長の移動を行うことができる。
【００１２】
上記目的を達成するために、例えば、図４に示す同調波長が連続的に移動する多重波長合分波器３を、図１から図３に示すように２段に接続する方式を採用する。
図４に示す波長多重合分波器３は、１１が光入力端子に接続された光ファイバ、１２が光出力端子に接続された光ファイバ、１３が光分波端子に接続された光ファイバ、１４が光合波端子に接続された光ファイバを示す。多重波長合分波器３は波長コントロール信号入力端子１５からの信号により、同調波長が選択されるものとする。図４の波長多重合分波器３は１５からの信号によりλｎの波長に同調されているものとする。波長λｎを含む波長多重光が１１の光ファイバから入ったとき、１３の光ファイバから波長λｎの光が分波され、他方分波されなかった残りの波長の光はそのまま光出力端子に接続された光ファイバ１２に出力される。また、光ファイバ１４から波長λｎの光を導入すると、分波されなかった波長の光と合波されて、光ファイバ１２から出力される。
【００１３】
図１および図２、図３に示した無妨害波長合分波器は波長多重合分波器が２段に接続されており、その接続状態を説明する。第１の波長多重合分波器１の光分波端子１３と第２の波長多重合分波器２の光入力端子１１とが接続され、かつ第１の波長多重合分波器１の光合波端子１４と第２の波長多重合分波器２の光出力端子１２とが接続されている。接続された２つの波長多重合分波器を１つの無妨害波長合分波器とみなしたとき、第１の波長多重合分波器１の１１が光入力端子、１２が光出力端子、第２の波長多重合分波器２の１３が光分波端子、１４が光合波端子となっている。
【００１４】
図１から図３を使用して無妨害波長合分波器の動作を説明する。図１において、第１および第２の波長多重合分波器は伴に同調波長がλｎに設定されているものとする。λｎの波長を含む波長多重信号光が１１の光ファイバに入射した場合、第１の波長多重合分波器１の１３からは波長λｎの光が出力され、第２の波長多重合分波器２の光入力端子１１に入る。第２の波長多重合分波器２も波長λｎに同調されているので、入射した波長λｎの光は第２の波長多重合分波器２の１３の光分波端子に出力される。第１の波長多重合分波器１の１１に入射したλｎ以外の波長の光は、第１の波長多重合分波器１の１２の光出力端子に透過していく。また、第２の波長多重合分波器２の１４の光合波端子に入力した合波すべき波長λｎの光は第２の波長多重合分波器２の１２の出力端子に出力され、さらに第１の波長多重合分波器１の１４の光合波端子に入力し、入力光信号のλｎ以外の波長の光と合波されて第１の波長多重合分波器１の１２の光出力端子から出力される。
【００１５】
次に、無妨害波長合分波器の同調波長をλｎと異なるλｍに変える要求があったものとする。波長λｎとλｍ間には他のチャンネル波長が存在するものとする。このとき、第１の波長多重合分波器１あるは第２の波長多重合分波器２のどちらか一方の同調波長をλｍに移動する。図２では第２の波長多重合分波器２の同調波長をλｍに変えている。第２の波長多重合分波器２の同調波長がλｎから外れた時点で、第２の波長多重合分波器２の１１への波長λｎの入力光信号は分波されずに、第２の波長多重合分波器２の１２の出力端子に出力される。この波長の光は第１の波長多重合分波器１の１４の合波端子に入力され、第１の波長多重合分波器１の１１に入射したλｎ以外の光波長と合波される。結果として、第１の波長多重合分波器１の１１に入射したすべての波長の光はそのまま１２の出力端子に出力されることになる。同様に、もし第１の波長多重合分波器１の同調波長をλｍに移動しても、すべての波長の光が第１の波長多重合分波器１の１２の出力端子に出力される。このように第１の波長多重合分波器１の同調波長と第２の波長多重合分波器２の同調波長とが異なるとすべての波長の光が第１の波長多重合分波器１の１２の出力端子から出力されるようになる。この状態が実現されると、同調波長を移動させても、移動中に目的の波長以外の光を分波して、信号の下流のノードに悪影響を与えることはない。
【００１６】
最後のステップとして、図３に示すように、第１の波長多重合分波器１の同調波長をλｍに移動させる。この状態は図１の無妨害波長合分波器の同調波長がλｍに変更された構成であり、波長λｍの光に対して合分波が可能になる。
以上記述したごとく、連続的にしか同調波長を変えることができない波長多重合分波器を上述の２段の構成を用いることにより、同調波長を変更するにあたって、移動途中のチャンネル波長に影響を与えることなく同調波長の変更が可能になる。
【００１７】
【発明の実施の形態】
以下、本発明の第１の実施例を図７により説明する。図７の構成は、図５に示したファイバ・ブラッグ・グレーティングを使用した合分波器を２段使用したものである。図５に示したそれぞれの合分波器は連続的な同調機能しか持たないが、２段使用することによりヒットレスとなる。
【００１８】
ファイバ・ブラッグ・グレーティング３０１と３０２は３１１と３１２により応力が加えられており、波長λｎを反射するように設定されている。ここで使用する光の波長は、一例を挙げると、国際電気通信連合により定められたグリッド周波数を想定しており、１，５５２．５２５ｎｍの波長を中心に１００ＧＨｚ毎に中心波長が設定されている。波長λｎを含む波長多重光信号が光入力端子１０１より入射すると、光サーキュレータ２０の２０２を出射した光のうち波長λｎ以外の光は３０１のファイバ・ブラッグ・グレーティングを透過し、光サーキュレータ２１の２１３の光出力端子から出射する。ファイバ・ブラッグ・グレーティング３０１で反射された波長λｎの光は光サーキュレータ２０の２０３から出射し、光サーキュレータ２２の２０２からファイバ・ブラッグ・グレーティング３０２に入射する。ここでも反射されるので、光サーキュレータ２２の２０３から出射することになり、光分波端子１０３から出力される。他方、１０４の光合波端子から入射した合波信号である波長λｎの光は光サーキュレータ２３の２１２から出射するが、ファイバ・ブラッグ・グレーティング３０２で反射される。合波信号光は光サーキュレータ２３の２１３から出射し、光サーキュレータ２１の２１２からファイバ・ブラッグ・グレーティング３０１に入射する。ここでも反射され、合波信号として光出力端子１０２から出力される。
【００１９】
同調波長を変更する場合は３１１あるいは３１２によりどちらかのファイバ・ブラッグ・グレーティングの同調波長を目的の波長（たとえばλｍ）に移動させる。ファイバ・ブラッグ・グレーティングの同調波長が異なっていれば、１０１より入力したすべての波長の光が１０２から出力される。ファイバ・ブラッグ・グレーティング３０２の同調波長をλｍに設定したとする。１０１から入射した波長多重光のうち波長λｎの光はファイバ・ブラッグ・グレーティング３０１で反射され光サーキュレータ２０を通過し光サーキュレータ２２の２０２から出射する。ファイバ・ブラッグ・グレーティング３０２の同調波長はλｍに設定されているので、光サーキュレータ２２を通過してきたλｎの光は３０２のファイバ・ブラッグ・グレーティングを透過し、光サーキュレータ２１の２１２の出射端子に至る。ここでは、同調波長λｎに設定されているファイバ・ブラッグ・グレーティング３０１で反射され、１０２の出力端子に出力される。したがって、入力端子１０１に入力したすべての波長の光が出力端子１０２に出力されるので、この波長移動中の状態では、ヒットレスの特徴を実現している。
【００２０】
次に、ファイバ・ブラッグ・グレーティング３０１の同調波長をλｎからλｍに変化させていくが、λｍに移動するその途中ではすべての波長を１０２の出力端子に出力しているので、ヒットレスが保持されている。ファイバ・ブラッグ・グレーティング３０１の同調波長がλｍに到達した時点で、３０１と３０２のファイバ・ブラッグ・グレーティングの同調波長が同一になり、波長λｍの合分波機能が光分波端子１０３、光合波端子１０４を通して可能となる。
第２の実施例を図８および図９を使用して説明する。図８はファファブリ−ペロータイプの波長同調フィルタを用いた波長多重合分波器を示しており、これを２段接続しヒットレスの性能を実現したものを図９に示す。
【００２１】
図８に示す光合分波器はヒットレスの特徴は有さず、同調波長が連続的に変化するものである。１０１の光入力端子よりλｎを含む波長多重光が１０１より入射しているものとし、光サーキュレータ２３の２３１に入射したのち、２３２の端子に出力される。４０はファブリ−ペロータイプの波長同調フィルタであり、制御信号入力端子４０１からの入力信号により２枚の反射鏡の距離あるいは、２枚の反射鏡の間の媒質の屈折率を変化させることで、透過する光の選択波長を変化させる。４０は波長λｎに同調しているとすると、波長λｎの光は４０を透過し１０３の分波信号となる。
【００２２】
他方、波長λｎ以外の光は反射され光サーキュレータ２３の２３３の端子に出力される。これらの光は光サーキュレータ２４の端子２４３から２４１に出るが、ファブリ−ペロータイプのフィルタ４１が４１１からの制御信号により波長λｎに同調されているため、反射されて２４の光サーキュレータに戻る。２４１に戻った光は端子２４２から出力され、１０２の出力信号となる。波長λｎの合波信号は光合波端子１０４から入射し、４１のファブリ−ペロータイプのフィルタを透過する。次に、光サーキュレータ２４の２４１に入射し、２４２に出射した後、１０２の光出力端子に出力される。図８の光合分波器の同調波長を４０１と４１１により変化させた場合、波長移動途中に存在する波長を１０３の光分波端子に出力してしまう。
【００２３】
図９は、図８の光合分波器を２段に接続したものである。これによりヒットレスの特徴が実現される。２５および２６は光サーキュレータであり、４２および４３はファブリ−ペロータイプのフィルタである。４２および４３の同調波長はそれぞれ４２１および４３１の制御信号入力端子から制御される。４０および４１、４２、４３のフィルタの同調波長をλｎに設定したとする。波長λｎを含む波長多重信号を１０１の光入力端子に入力すると、波長λｎの光は光サーキュレータ２３、フィルタ４０、光サーキュレータ２５、フィルタ４２を通過して、１０３の光分波端子に出力される。波長λｎ以外の入力光はフィルタ４０で反射され、光サーキュレータ２３の２３３の端子に出る。次に、光サーキュレータ２４の端子２４３に入り端子２４１に出るが、４１のフィルタで反射され、光サーキュレータ２４の２４１から２４２へ通過し、光出力端子１０２へ出力される。光合波端子１０４からの波長λｎの入力光は、４３のフィルタ、光サーキュレータ２６、４１のフィルタ、光サーキュレータ２４を通過して、１０２の光出力端子１０２に合波信号として合波される。
【００２４】
同調波長を変えるには、４０１と４１１による同調波長あるいは４２１と４３１による同調波長を目的の同調波長に移動する。この間はすべての波長が出力端子１０２から出力される。次に、同調波長を移動させなかった組の同調波長を目的同調波長に移動する。両者の波長が目的波長に合致したとき、目的同調波長の光が１０３の光分波端子から出力され、それ以外の波長の光は１０２の光出力端子から出力される。また、１０４から入力する目的波長の光は合波信号光として１０２の出力端子から出力される。
【００２５】
第３の実施例を図１０および図１１を用いて説明する。図１０はファブリ−ペロータイプのフィルタ４０とファイバ・ブラッグ・グレーティング３０１を組み合わせることにより、光合分波器を構成したものである。波長λｎを含む波長多重光を１０１の光入力端子に入力させると、光サーキュレータ２３を通過し、端子２３２に出るが、同調波長λｎに設定されたフィルタ４０により波長λｎのみ透過し１０３の光分波端子から出力される。フィルタ４０で反射された他の光は端子２３３に出力され、同調波長λｎに設定されたファイバ・ブラッグ・グレーティング３０１を透過する。透過した光は光サーキュレータ２１の２１２に入り、２１３に出力され、光出力端子１０２の出力となる。１０４の光合波端子から入射した光は光サーキュレータで２１２の端子に出力され、フィルタ３０１で反射される。反射された合波光は光サーキュレータの２１３端子に出力され、光出力端子１０２の出力となる。４０と３０１は同調波長を連続的に変化させることが可能であるが、ヒットレスの特性を有さない。この光合分波器を図１１に示すように２段に接続することにより、ヒットレスの特性を実現できる。図１１においてフィルタ４０と４１の同調波長とファイバ・ブラッグ・グレーティング３０１と３０２の設定波長を異なるものにすることも可能である。この場合、分波波長と異なる合波波長を使用できるようになる。
【００２６】
第４の実施例を図１２および図１３を用いて説明する。図１２の光合分波器はヒットレスの特性を有さないが、２段に接続した図１３に示す無妨害波長合分波器はヒットレスの特性を有する。図１２において、ファブリ−ペロータイプのフィルタ４０が光合波端子１０４に接続されているところが、図１０の場合と異なる。また、光サーキュレータ２１と２３の配置がファイバ・ブラッグ・グレーティング３０１に対して逆になっている。ファイバ・ブラッグ・グレーティング３０１とファブリ−ペロータイプのフィルタ４０の同調波長を波長λｎに設定し、波長λｎを含む波長多重信号を１０１の光入力端子に入力すると、１０３の光分波端子には波長λｎが出力され、それ以外の入力光はファイバ・ブラッグ・グレーティング３０１を透過して、光サーキュレータ２３に入る。２３１の端子から出た光はフィルタ４０で反射され、光サーキュレータ２３に戻り、光出力端子１０２に出力される。光合波端子１０４からの波長λｎの光は、フィルタ４０と光サーキュレータ２３を通過して１０２の光出力端子に出力される。
【００２７】
図１３に示した無妨害波長合分波器は、図１２の光合分波器を２段接続したものである。これによりヒットレスの特性が実現される。
実施例では個別の光部品により無妨害波長合分波器を構成している。
【００２８】
しかし、平面光導波路を使用した場合も本特許は適用可能である。平面光導波路上に作製された光合分波器が連続的な同調波長が可能な場合、同一基板上に２つの光合分波器を作製し、本特許による方式で接続することで、ヒットレスの特徴を有する無妨害波長合分波器を作製することが可能になる。
【００２９】
図１４は無妨害波長合分波器を使用した通信システムの実施例を示す。５１および５２、５３はノードを示しており、ノードの出力と次のノードの入力が接続される構成をとっている。本実施例では、ノード数は３個しか示していないが、多数接続する場合も本特許は包含する。それぞれのノードの使用する波長は１５および１６、１７によりネットワークシステムのセンターからの指令により同調波長が決められる。本実施例では、１０１に入力したの波長多重入力信号のうち、ノード５１は波長λｎを使用し、ノード５２は波長λｋを、ノード５３は波長λｍを使用している。それぞれのノードは使用波長をヒットレスで変更することが可能である。このようなネットワークを構築して、ノードからの波長を利用する利用者から料金をとるサービスや、同調された波長の光を別の光ネットワークに送るサービスを行う行為も本特許に包含される。
【００３０】
【発明の効果】
以上説明したように、本発明により、光合分波器において使用波長を移動させるときに、途中に存在する他のチャンネル波長に影響を与えることなく、速い速度で使用波長の移動が可能になる。本発明では、使用する波長フィルタとして、ファイバ・ブラッグ・グレーティングやファブリ−ペロータイプ等の波長フィルタを使用する実施例を上げたが、これらは数ミリ秒（ｍｓ）以下で波長の移動をすることが可能である。これによりネットワークの使用効率を上げることが可能になる。
【図面の簡単な説明】
【図１】同調波長λｎの無妨害波長合分波器を実現するための構成を示すの概略図である。
【図２】同調波長λｎからの同調波長λｍへの移動時の無妨害波長合分波器の概略図である。
【図３】同調波長λｍの無妨害波長合分波器の概略図である。
【図４】同調波長が連続的に変わる光合分波器を示す概略図である。
【図５】ファイバ・ブラッグ・グレーティングを使用する従来の光合分波器の構成である。
【図６】従来の光合分波器による分波信号強度の波長移動時の変化の模式図である。
【図７】本発明の第１の実施例の概略図である。
【図８】本発明の第２の実施例に使用する光合分波器の概略図である。
【図９】本発明の第２の実施例の概略図である。
【図１０】本発明の第３の実施例に使用する光合分波器の概略図である。
【図１１】本発明の第３の実施例の概略図である。
【図１２】本発明の第４の実施例に使用する光合分波器の概略図である。
【図１３】本発明の第４の実施例の概略図である。
【図１４】本発明の他の実施例の概略図である。
【符号の説明】
１．光合分波器、
１１．光入力端子、  １２．光出力端子、  １３．光分波端子、
１４．光合波端子、  １５．波長コントロール信号入力端子、
２０．２１．２２．２３．光サーキュレータ、
３０．３０１．３０２．ファイバ・ブラッグ・グレーティング、
４０．４１．４２．４３．ファブリ−ペロータイプの波長フィルタ、
５１．５２．５３．無妨害波長合分波器
【図１】
2004274311.tif 000003
【図２】
2004274311.tif 000004
【図３】
2004274311.tif 000005
【図４】
2004274311.tif 000006
【図５】
2004274311.tif 000007
【図６】
2004274311.tif 000008
【図７】
2004274311.tif 000009
【図８】
2004274311.tif 000010
【図９】
2004274311.tif 000011
【図１０】
2004274311.tif 000012
【図１１】
2004274311.tif 000013
【図１２】
2004274311.tif 000014
【図１３】
2004274311.tif 000015
【図１４】
2004274311.tif 000016